(57)【要約】【課題】付着したオイルの飛散範囲を狭めることが可能なオイルフィルタブラケットを提供する。【解決手段】オイルフィルタブラケット１は、オイルフィルタ５０が側方から取り付けられる取付面３を有するとともに同取付面３に近づくほどその外周が縮径されたテーパ形状のフランジ２を備えている。そして、フランジ２の外周においてその中心よりも鉛直方向下方に位置する部分には、鉛直方向下方に突出する突出部２０を設けた。【選択図】図１
2014101868.tif 000002
【特許請求の範囲】
【請求項１】
オイルフィルタが側方から取り付けられる取付面を有するとともに同取付面に近づくほどその外周が縮径されたテーパ形状のフランジを備えるオイルフィルタブラケットであって、
前記フランジの外周においてその中心よりも鉛直方向下方に位置する部分には、鉛直方向下方に突出する突出部が設けられてなる
ことを特徴とするオイルフィルタブラケット。
【請求項２】
前記突出部は、その鉛直方向下部が前記取付面に近づくほど鉛直方向下方に位置するように傾斜してなる
請求項１に記載のオイルフィルタブラケット。
【請求項３】
前記突出部は、その鉛直方向最下部に頂点を有する角錐形状である
請求項２に記載のオイルフィルタブラケット。
【請求項４】
前記突出部は、前記取付面に接続されて同取付面と面一である接続面を有する
請求項３に記載のオイルフィルタブラケット。
【請求項５】
前記接続面は二等辺三角形状をなし、前記突出部は、前記接続面と、同接続面に接続されて前記フランジの外周面に沿ってその軸方向に延びる一対の側面と、同一対の側面と前記フランジの外周面とを接続する裏面とを有する四角錐形状をなし、
前記接続面の側辺が水平方向に対して傾斜する角度が、前記フランジの外周におけるテーパ角よりも大きい
請求項４に記載のオイルフィルタブラケット。
【請求項６】
オイルフィルタが側方から取り付けられる取付面を有するとともに同取付面に近づくほどその外周が縮径されたテーパ形状のフランジを備えるオイルフィルタブラケットであって、
前記フランジの外周には、鉛直方向の最下部に前記取付面から前記フランジの軸方向に延び、その底面が前記取付面に近づくほど鉛直方向下方に位置する第１の溝が設けられ、
前記取付面の外縁には、周方向に延びる第２の溝が設けられている
ことを特徴とするオイルフィルタブラケット。
【請求項７】
前記第１の溝と前記第２の溝とが接続するとともに前記第１の溝の底面と前記第２の溝の底面とが面一である
請求項６に記載のオイルフィルタブラケット。
【発明の詳細な説明】
【技術分野】
【０００１】
本発明は、オイルフィルタが取り付けられるオイルフィルタブラケットに関する。
【背景技術】
【０００２】
内燃機関には、潤滑に供されるオイルを濾過するために、オイルフィルタが設けられている。特許文献１に記載の技術では、内燃機関に設けられたオイルフィルタブラケットにオイルフィルタが着脱可能に取り付けられている。また、こうしたオイルフィルタブラケットとしては、特許文献１に記載されるように、オイルフィルタが下方から取り付けられるタイプの他、オイルフィルタが側方から取り付けられるタイプのものもある。こうしたタイプのオイルフィルタブラケットには、オイルフィルタの取付面を有するフランジが設けられている。
【先行技術文献】
【特許文献】
【０００３】
【特許文献１】特開２０１０‐１１２２５５号公報
【発明の概要】
【発明が解決しようとする課題】
【０００４】
ところで、オイルフィルタをオイルフィルタブラケットから取り外す際には、オイルフィルタやオイルフィルタブラケットの内部からオイルが漏出する。そして、漏出したオイルがオイルフィルタブラケットに付着すると、その外周等を伝ってオイルが広範囲に飛散するおそれがある。特に、オイルフィルタが側方から取り付けられるオイルフィルタブラケットにおいて、設計の制約等により、フランジの外周がオイルフィルタの取付面に近づくほど縮径されたテーパ形状を有している場合には、取付面の下部まで流れたオイルがフランジの外周面に伝って流れ落ちやすくなるため、こうした不都合が一層顕著になる。
【０００５】
本発明はこうした実情に鑑みてなされたものであり、その目的は、付着したオイルの飛散範囲を狭めることが可能なオイルフィルタブラケットを提供することにある。
【課題を解決するための手段】
【０００６】
上記課題を解決するためのオイルフィルタブラケットは、オイルフィルタが側方から取り付けられる取付面を有するとともに同取付面に近づくほどその外周が縮径されたテーパ形状のフランジを備えている。そして、フランジの外周においてその中心よりも鉛直方向下方に位置する部分には、鉛直方向下方に突出する突出部が設けられている。
【０００７】
上記構成によれば、オイルフィルタブラケットのフランジの外周に突出部が形成されているため、重力の作用によってフランジの外周面を流れ落ちたオイルは、突出部を伝ってその鉛直方向最下部に集められ、その部分から落下する。したがって、オイルフィルタブラケットに付着したオイルの飛散範囲を狭めることができるようになる。
【０００８】
また、上記オイルフィルタブラケットでは、突出部の鉛直方向下部を取付面に近づくほど鉛直方向下方に位置するように傾斜させることが望ましい。
フランジの取付面に付着したオイルは、取付面に沿って流れ落ち、その最下部からフランジの外周面に回り込む。そして、こうして取付面に付着するオイルは多量であることから、フランジの外周面を伝って移動する距離が長いと、その途中でオイルが落下して飛散範囲が拡大するおそれがある。
【０００９】
上記構成によれば、フランジに付着したオイルが取付面側に集められるため、取付面に付着したオイルが外周面を伝う距離を短くすることができ、その飛散範囲を狭めることができるようになる。
【００１０】
また、上記オイルフィルタブラケットでは、突出部は、その鉛直方向最下部に頂点を有する角錐形状であることが望ましい。
上記構成によれば、突出部を流れ落ちたオイルが鉛直方向最下部の頂点に集められるため、オイルの飛散範囲をより狭めることができる。
【００１１】
また、上記オイルフィルタブラケットでは、突出部は、取付面に接続されて同取付面と面一である接続面を有することが望ましい。
上記構成では、取付面に付着したオイルが、同取付面に沿って鉛直方向下方に流動すると、接続面を通じて突出部の頂点に到達して同頂点から落下する。そのため、取付面に付着したオイルが、フランジの外周面に回り込むことが抑制され、その飛散範囲を狭めることができる。
【００１２】
また、上記オイルフィルタブラケットでは、接続面は二等辺三角形状をなし、突出部は、接続面と、同接続面に接続されてフランジの外周面に沿ってその軸方向に延びる一対の側面と、同一対の側面とフランジの外周面とを接続する裏面とを有する四角錐形状とする。そして、突出部の接続面の側辺が水平方向に対して傾斜する角度が、フランジの外周におけるテーパ角よりも大きくなるようにするのが好ましい。
【００１３】
オイルが突出部の側面を流動する際には、フランジのテーパ角が大きくなるほど裏面側に流れやすくなる。一方、接続面の側辺が水平方向に対して傾斜する角度が大きくなるほど、側面を流れるオイルは接続面側に向かって流れやすくなる。
【００１４】
上記構成によれば、接続面の側辺が水平方向に対してなす角を、フランジのテーパ角よりも大きくしているため、側面を裏面側に流動するオイルの勢いを弱めて、接続面側にその流れを指向させることができる。そのため、側面と裏面との境界に形成された角部からオイルが飛散することを抑制してオイルを頂点に集めることができる。したがって、オイルフィルタの外周面に付着したオイルの飛散範囲をより狭めることができるようになる。
【００１５】
また、上記課題を解決するためのオイルフィルタブラケットは、オイルフィルタが側方から取り付けられる取付面を有するとともに同取付面に近づくほどその外周が縮径されたテーパ形状のフランジを備えている。そして、フランジの外周には、鉛直方向の最下部に取付面からフランジの軸方向に延び、その底面が取付面に近づくほど鉛直方向下方に位置する第１の溝が設けられ、取付面の外縁には、周方向に延びる第２の溝が設けられている。
【００１６】
上記構成によれば、フランジの外周において鉛直方向の最下部に設けられた第１の溝により、オイルフィルタブラケットの取付面に付着したオイルがその鉛直方向最下部からフランジの外周面に回り込むことが抑制される。
【００１７】
また、取付面の外縁には周方向に延びる第２の溝が設けられているため、この第２の溝により取付面からフランジの外周面にオイルが回り込むことが抑制される。
したがって、上記構成によれば、オイルフィルタブラケットに付着したオイルの飛散範囲を狭めることができるようになる。
【００１８】
また、このようなオイルフィルタブラケットでは、第１の溝と第２の溝とが接続するとともに第１の溝の底面と第２の溝の底面とが面一であることが望ましい。
上記構成によれば、第２の溝に付着したオイルが鉛直方向下方に流動すると、同溝に接続された第１の溝に流入する。そしてその流れ方向が第１の溝によって取付面側へ指向する。したがって、上記構成によれば、第２の溝に付着したオイルを第１の溝の取付面側の部分に集めることができ、オイルの飛散範囲をより狭めることができるようになる。
【図面の簡単な説明】
【００１９】
【図１】オイルフィルタブラケットの第１の実施形態の概略構成を示す斜視図。
【図２】（ａ）は同実施形態のオイルフィルタブラケットの正面図、（ｂ）は同実施形態のオイルフィルタブラケットの側面図。
【図３】（ａ）、（ｂ）はオイルフィルタブラケットのフランジを伝ってオイルが流れ落ちる態様を示す模式図。
【図４】（ａ）はオイルフィルタブラケットの第２の実施形態の概略構成を示す斜視図、（ｂ）は（ａ）の一点鎖線で囲った部分の拡大図。
【図５】オイルフィルタブラケットの他の実施形態の一例を示す斜視図。
【発明を実施するための形態】
【００２０】
（第１の実施形態）
以下、オイルフィルタブラケットの第１の実施形態について、図１〜図３を参照して説明する。なお、図１〜３では、各図の上下方向を鉛直方向とし、左右方向を水平方向としている。
【００２１】
図１に示すように、内燃機関に設けられたオイルフィルタブラケット１は、フランジ２を有している。フランジ２には、その側方からオイルフィルタ５０が取り付けられる環状の取付面３が設けられている。また、フランジ２は、その外周が、取付面３に近づくほど縮径するテーパ形状となっている。なお、フランジ２はその軸が水平方向に延びている。フランジ２の取付面３側の端部には、取付面３から段差を有して内壁５が設けられている。内壁５には、同内壁５の中心からフランジ２の軸方向に突出する円管形状の螺合管６と、２つのオイル供給口７が設けられている。螺合管６には、オイルフィルタブラケット１の内部を通じて内燃機関の各部に接続される導出路８が接続されており、その外周には雄ねじ９が形成されている。また、オイル供給口７には、オイルポンプによりオイルパンから汲み上げられたオイルが供給される油路１０がそれぞれ接続されている。
【００２２】
また、フランジ２の外周面４には、その鉛直方向最下部に、鉛直方向下方に突出する突出部２０が設けられている。換言すれば、突出部２０は、フランジ２の外周の中心よりも鉛直方向下方に位置している。
【００２３】
一方、オイルフィルタ５０は、濾紙５１と、同濾紙５１の外周を覆う円筒状のハウジング５２とを有している。ハウジング５２において図中の右側の端部には、他の部分に比してその径が拡大された拡径部５３と、その中心部に軸方向に延び且つ内周に雌ねじ５４が形成された螺合孔５５が設けられている。螺合孔５５には、濾紙５１の中心部を軸方向に延びるオイル流出通路５６が接続されている。また、同右側の端部には、複数のオイル流入孔５７が周方向に等間隔で設けられている。
【００２４】
これらオイルフィルタ５０及びオイルフィルタブラケット１は、オイルフィルタ５０の螺合孔５５に形成された雌ねじ５４と、オイルフィルタブラケット１の螺合管６に形成された雄ねじ９とが螺合することによって取り付けられる。このようにオイルフィルタブラケット１にオイルフィルタ５０が取り付けられると、オイルフィルタ５０の拡径部５３と、オイルフィルタブラケット１の取付面３とが密着する。
【００２５】
次に、図１及び図２を参照して、オイルフィルタブラケット１の突出部２０の構成について詳述する。
図１及び図２に示すように、突出部２０は、取付面３に接続された接続面２１を有している。接続面２１は、二等辺三角形状をなし、取付面３と面一である。接続面２１の両側辺２２にはフランジ２の外周面４に沿ってその軸方向（図１の左右方向）に延びる一対の側面２３が接続されている。一対の側面２３とフランジ２の外周面４とは、裏面２４によって接続され、それら一対の側面２３と裏面２４との境界には角部２５が形成されている。このように、突出部２０は、接続面２１、一対の側面２３、及び裏面２４からなる４つの面を有し、その鉛直方向最下部に各面が接続する頂点２６を有する四角錐形状をなしている。
【００２６】
また、図２に示すように、突出部２０の接続面２１において、その側辺２２が水平方向に対して傾斜する角度θ１は、フランジ２の外周におけるテーパ角θ２、すなわちフランジ２の外周面４が水平方向に対してなす角度よりも大きい角度に設定されている。また、図２（ｂ）に示すように、突出部２０の鉛直方向下部、すなわち裏面２４が取付面３に近づくほど鉛直方向下方に位置するように傾斜している。
【００２７】
次に、こうした構成を備えるオイルフィルタブラケット１の作用について説明する。
図３（ａ）には、接続面２１の側辺２２が水平方向に対して傾斜する角度θ１がフランジ２のテーパ角θ２よりも小さい場合（θ１＜θ２）のオイルの流動態様の一例を示している。また、図３（ｂ）には、角度θ１がテーパ角θ２以上となる場合（θ１≧θ２）のオイルの流動態様の一例を示している。
【００２８】
図３（ａ）に示すように、フランジ２の外周面４に付着したオイルは、重力の作用によって流れ落ちる。そして突出部２０の側面２３に移動したオイルは、側面２３と裏面２４との境界に形成された角部２５を伝って頂点２６に向けて流動する。また、角部２５に達したオイルは、その一部が裏面２４に回り込む。裏面２４は、取付面３に近づくほど鉛直方向下方に位置するように傾斜しているため、裏面２４に回り込んだオイルは、その下部に達した後、その傾斜に沿って頂点２６へ流れる。したがって、外周面４を伝って流れ落ちるオイルは、突出部２０の頂点２６へ集められることとなる。
【００２９】
一方、フランジ２の取付面３に付着したオイルは、同取付面３に沿って流れ落ち、接続面２１を通じて頂点２６に到達する。そのため、フランジ２の外周が取付面３に近づくほど縮径されたテーパ形状を有している場合であっても、その外周面４にオイルが回り込むことが抑制される。
【００３０】
ところで、フランジ２の外周は、取付面３に近づくほど縮径されたテーパ形状を有しているため、この外周面４を流れ落ちるオイルは、取付面３から離れる方向へ移動する。突出部２０の側面２３は、フランジ２の外周面４に沿ってその軸方向に延びているため、同側面２３を流れ落ちるオイルも同様に取付面３から離れる方向、すなわち裏面側に移動する。そして、こうした傾向は、フランジ２のテーパ角θ２が大きくなるほど顕著になる。換言すれば、突出部２０の側面２３をオイルが流動する際には、フランジ２のテーパ角θ２が大きくなるほど裏面２４側に流れやすくなる。一方、接続面２１の側辺２２が水平方向に対して傾斜する角度θ１が大きくなるほど、側面２３を流れるオイルは接続面２１側に向かって流れやすくなる。
【００３１】
そのため、図３（ａ）に示すように、角度θ１がテーパ角θ２よりも小さい場合には、裏面２４側に流れるオイルの勢いが強くなり、その勢いのまま角部２５からオイルが下方に落下して広範囲にわたり飛散するおそれがある。
【００３２】
一方、図３（ｂ）に示すように、本実施形態では、角度θ１をテーパ角θ２よりも大きくしているため、側面２３を裏面２４側に流動するオイルの勢いを弱めて、接続面２１側にその流れを指向させることができる。そのため、角部２５から飛散するオイルの量が減少し、角部２５や裏面２４を伝ってオイルが頂点２６に集められるようになる。したがって、より多くのオイルが頂点２６に集められ、その飛散範囲が狭められる。
【００３３】
以上説明した第１の実施形態によれば、以下の効果が得られるようになる。
（１）重力の作用によってフランジ２の外周面４を流れ落ちたオイルを、突出部２０によりその鉛直方向最下部に集めることができる。したがって、オイルフィルタブラケット１に付着したオイルの飛散範囲を狭めることができるようになる。
【００３４】
（２）突出部２０の鉛直方向下方に流れ落ちたオイルを、四角錐の頂点２６に集めることができるため、オイルの飛散範囲をより狭めることができる。
（３）取付面３に付着したオイルが、フランジ２の外周面４に回り込むことが抑制され、その飛散範囲を狭めることができる。
【００３５】
（４）オイルが角部２５から飛散することを抑制してオイルを頂点２６に集めることができるため、オイルフィルタ５０の外周面４に付着したオイルの飛散範囲をより狭めることができるようになる。
（第２の実施形態）
次に、オイルフィルタブラケットの第２の実施形態について、図４を参照して説明する。なお、本実施形態では、オイルフィルタブラケットのフランジの構造が上記第１の実施形態のものと異なっており、第１の実施形態と同様の構成については、共通の符号を付してその詳細な説明は省略する。
【００３６】
図４（ａ）に示すように、オイルフィルタブラケット３０のフランジ３１の外周面には、その鉛直方向の最下部に、取付面３からフランジ３１の軸方向（図４の左右方向）に延びる第１の溝３２が設けられている。なお、第１の溝３２は、取付面３を有する一端３３から他端３４に亘って設けられている。第１の溝３２は、その底面３５が取付面３に近づくほど鉛直方向下方に位置している。
【００３７】
また、取付面３の外縁３６において、鉛直方向下部には、周方向に延びる第２の溝３７が設けられている。第２の溝３７は、第１の溝３２と接続しており、その底面３８が第１の溝３２の底面３５と面一である。すなわち、第２の溝３７の底面３８と、フランジ３１の外周面４との間には、段差３９が形成されている。なお、第２の溝３７は、周方向において第１の溝３２から離れるほどその軸方向における長さＬ１が短くなるように設けられている。
【００３８】
次に、こうした構成を備えるオイルフィルタブラケット３０の作用について説明する。
図４（ｂ）に示すように、フランジ３１の取付面３に付着したオイルは、取付面３に沿って流れ落ち、その鉛直方向の最下部に移動する。フランジ３１の外周において鉛直方向の最下部に設けられた第１の溝３２は、その底面３５が取付面３に近づくほど鉛直方向下方に位置している。そのため、取付面３の鉛直方向の最下部に移動したオイルは、第１の溝３２に回り込むことができず、その位置から落下する。また、第２の溝３７の底面３８とフランジ３１の外周面４との間には、段差３９が形成されている。そのため、第２の溝３７に付着したオイルがフランジ３１の外周面４に回り込むことが抑制される。
【００３９】
また、第１の溝３２と第２の溝３７とは接続しており、それらの底面３５，３８が面一であるため、第２の溝３７に付着したオイルが重力によって第１の溝３２の鉛直方向最下部に流れ、その流れ方向が取付面３側へ指向されることとなる。
【００４０】
以上説明した第２の実施形態によれば、以下の効果が得られるようになる。
（５）オイルフィルタブラケット３０の取付面３に付着したオイルがその鉛直方向最下部からフランジ３１の外周面４に回り込むことを抑制することができる。また、取付面３の外縁３６には周方向に延びる第２の溝３７が設けられているため、この第２の溝３７により取付面３からフランジ３１の外周面４にオイルが回り込むことが抑制される。
【００４１】
（６）第２の溝３７に付着したオイルを第１の溝３２の取付面３側の部分に集めることができ、オイルの飛散範囲をより狭めることができるようになる。
（その他の実施形態）
なお、上記各実施形態は、これを変更した以下の形態にて実施することもできる。また以下の変更例に記載される構成を適宜組み合わせて実施することもできる。
【００４２】
・上記第１の実施形態では、角度θ１をテーパ角θ２よりも大きくしたが、角部２５から飛散するオイルの量を無視できるのであれば、角度θ１をテーパ角θ２よりも小さくしてもよい。こうした場合であっても上記（１）〜（３）と同様の効果を得ることができる。
【００４３】
・上記第１の実施形態では、取付面３と面一となる接続面２１を設けるようにしたが、接続面２１を取付面３に対して傾斜させて設けるようにしてもよい。こうした場合であっても上記（１）、（２）及び（４）と同様の効果を得ることができる。
【００４４】
・上記第１の実施形態では、突出部２０の鉛直方向最下部に頂点２６を設けるようにしたが、鉛直方向最下部の形状はこれに限られるものではない。その一例を図５に示している。なお、図５に示す構成では、オイルフィルタブラケットのフランジの構造が上記各実施形態のものと異なっており、各実施形態と同様の構成については、共通の符号を付してその詳細な説明は省略する。
【００４５】
図５に示すように、オイルフィルタブラケット４０のフランジ４１の外周面４には、その鉛直方向の最下部に、突出部４２が設けられている。突出部４２は、フランジ４１の取付面３に接続され、同取付面３と面一に設けられた接続面４３を有している。接続面４３は、四角形状をなし、その両側辺４４にはフランジ４１の外周面４に沿ってその軸方向（図５の左右方向）に延びる一対の側面４５が接続されている。一対の側面４５とフランジ４１の外周面４とは、裏面４６によって接続されている。このように、突出部４２は、三角柱形状をなし、その鉛直方向最下部が水平方向に延びる尖端４７となっている。こうした構成によっても、上記（１）、（３）と同様の効果を得ることができる。
【００４６】
・上記第１の実施形態では、突出部２０の接続面２１を取付面３と面一として同取付面３に接続するようにしたが、接続面２１をフランジ２の外周面４に接続させるようにしてもよい。こうした場合であっても上記（１）、（２）及び（４）と同様の効果を得ることができる。なお、こうした場合には、突出部２０の鉛直方向下部が前記取付面３に近づくほど鉛直方向下方に位置するようにしてもよい。こうした場合には、フランジ２に付着したオイルが取付面３側に集められるため、取付面３に付着したオイルが外周面４を伝う距離を短くすることができる。そのため、そうでない場合に比べて、オイルの飛散範囲を狭めることができるようになる。
【００４７】
・上記第１の実施形態では、突出部２０を角錐形状としたが、例えば円錐形状とする等、他の形状としてもよい。こうした場合であっても上記（１）、（２）及び（３）と同様の効果を得ることができる。
【００４８】
・上記第１の実施形態では、突出部２０は、その鉛直方向下部が取付面３に近づくほど鉛直方向下方に位置するように傾斜するようにしたが、突出部２０の鉛直方向下部が水平方向に対して傾斜していれば、こうした構成を省略してもよい。こうした場合であっても上記（１）と同様の効果を得ることができる。
【００４９】
・上記第１の実施形態では、突出部２０をフランジ２の外周面４において鉛直方向最下部に設けるようにしたが、フランジ２の外周においてその中心よりも鉛直方向下方に位置すれば、その位置を適宜変更してもよい。こうした場合であっても、上記（１）の効果を得ることができる。
【００５０】
・上記第１の実施形態では、フランジ２の軸が水平方向に延びるように設けたが、突出部２０の鉛直方向最下部がフランジ２の鉛直方向最下部となるのであれば、フランジ２の軸を水平方向に対して傾斜させて設けるようにしてもよい。
【００５１】
・上記第１の実施形態では、フランジ２の外周において、その軸方向における一端、すなわち取付面３側の部分にのみ突出部２０を設けるようにしたが、フランジ２の一端から他端に亘って突出部２０を設けるようにしてもよい。
【００５２】
・上記第１の実施形態では、突出部２０を１つ設けたが、突出部２０を複数設けるようにしてもよい。
・上記第２の実施形態では、第２の溝３７は、周方向において第１の溝３２から離れるほどその軸方向における長さＬ１が短くなるように設けられていたが、その長さＬ１を、周方向において一定の長さとしたり、第１の溝３２から離れるほど長くなるようにしてもよい。こうした場合であっても、上記（５）及び（６）と同様の効果を得ることができる。
【００５３】
・上記第２の実施形態では、第１の溝３２を取付面３が設けられた一端３３から他端３４に亘って設けるようにしたが、第１の溝３２を取付面３側の部分にのみ設けるようにしてもよい。こうした場合であっても、上記（５）の効果を得ることができる。
【００５４】
・上記第２の実施形態では、第１の溝３２と第２の溝３７とを接続したが、これら溝３２，３７を接続することなく離間した位置に形成するようにしてもよい。こうした場合であっても、上記（５）の効果を得ることができる。
【００５５】
・上記第２の実施形態では、第２の溝３７を取付面３の外縁３６において、鉛直方向下部に設けるようにしたが、その全周や、半周に亘って設けるようにしてもよい。
【符号の説明】
【００５６】
１，３０，４０…オイルフィルタブラケット、２，３１，４１…フランジ、３…取付面、４…外周面、５…内壁、６…螺合管、７…オイル供給口、８…導出路、９…雄ねじ、１０…油路、２０，４２…突出部、２１，４３…接続面、２２，４４…側辺、２３，４５…側面、２４，４６…裏面、２５…角部、２６…頂点、３２…第１の溝、３３…一端、３４…他端、３５…第１の溝の底面、３６…外縁、３７…第２の溝、３８…第２の溝の底面、３９…段差、４７…尖端、５０…オイルフィルタ、５１…濾紙、５２…ハウジング、５３…拡径部、５４…雌ねじ、５５…螺合孔、５６…オイル流出通路、５７…オイル流入孔。
【図１】
2014101868.tif 000003
【図２】
2014101868.tif 000004
【図３】
2014101868.tif 000005
【図４】
2014101868.tif 000006
【図５】
2014101868.tif 000007